(57)【要約】【課題】容器から引き出されたラップフィルムに切断刃が触れラップフィルムを損傷する「刃当たり」を防止したラップフィルム装置を提供する。【解決手段】ラップフィルム装置において、上壁２１の幅Ａ、上壁２１の水平方向からの回転角をＲ、蓋前壁上辺２４２から刃先の頂部２２１までの寸法をＳ、開口１５の幅をＢ、フラップ連結部５５とフラップ下縁５１との間のフラップ寸法をＨ、フラップ５０の垂直方向からの回転角をＸ、とするとき、回転角Ｒ、Ｘが、各々、０〜４５°のある値を取るとき、フラップ下縁の全域において、  Ｓ×ｃｏｓＲ＝Ａ×ｓｉｎＲ＋Ｈ×ｃｏｓＸ・・・（３）  Ｈ×ｓｉｎＸ≦（Ａ×ｃｏｓＲ＋Ｓ×ｓｉｎＲ）−Ｂ・・・（４）が満足されように、寸法Ａ、Ｓ、Ｂ、Ｈが選択される。【選択図】    図７
2008239251.tif 000002
【特許請求の範囲】
【請求項１】
ラップフィルムのロール（３０）を容器（１０）内に収容し、容器外へラップフィルムを引出し可能としたラップフィルム装置であって、
容器は、箱本体（１２）及び蓋体（２０）を含み、
箱本体（１２）は、箱前壁（１２１）、後壁（１２２）、底壁（１２４）及び対向する２つの箱端壁（１２３）、並びに箱前壁上辺（１７）、後壁上辺（１６）及び前記２つの箱端壁上辺に囲まれた開口（１５）を有し、更に箱前壁上辺に連結され箱本体内部を箱前壁に沿って下方へ伸長する副前壁（１２５）、引出されたラップフィルム（３６）がロール上へ戻るのを防止する粘着剤層（１４）、及び引出されたラップフィルムの端縁（３６１）を箱前壁から離間させるフラップ（５０）を有し、
蓋体（２０）は、上壁（２１）、蓋前壁（２４）、蓋前壁に固着された切断刃（２２）を有し、
上壁（２１）は、後壁上辺（１６）に連結され、切断刃（２２）は、蓋体が開口を閉じたとき箱前壁の下方外面に隣接して配置される刃先（２２３）を有し、
前記フラップ（５０）は、副前壁と連結するフラップ連結部（５５）を有するように箱前壁（１２１）の一部分を切り起して形成され、
上壁（２１）の幅、即ち後壁上辺（１６）と蓋前壁上辺（２４２）との間の寸法をＡ、上壁（２１）の水平方向からの回転角をＲ、蓋前壁上辺（２４２）から刃先（２２３）までの寸法をＳ、開口（１５）の幅、即ち後壁上辺（１６）と箱前壁上辺（１７）との間の寸法をＢ、フラップ連結部（５５）とフラップ下縁（５１）との間のフラップ寸法をＨ、フラップ（５０）の垂直方向からの回転角をＸ、とすると、回転角Ｒ、Ｘが、各々、次の式（１）及び（２）の範囲のある値を取るときに、
０＜Ｒ＜４５°・・・（１）
０＜Ｘ＜４５°・・・（２）
フラップ下縁の全域において、
Ｓ×ｃｏｓＲ＝Ａ×ｓｉｎＲ＋Ｈ×ｃｏｓＸ・・・（３）
Ｈ×ｓｉｎＸ≦（Ａ×ｃｏｓＲ＋Ｓ×ｓｉｎＲ）−Ｂ・・・（４）
が満足されることを特徴とするラップフィルム装置。
【請求項２】
前記箱前壁（１２１）及び副前壁（１２５）は、一枚の厚紙からなり、箱前壁上辺（１７）は前記厚紙の折曲げ部であり、前記フラップ連結部（５５）は該折曲げ部の一部であり、切断刃（２２）は頂部（２２１）を有するＶ字形を有し、切断刃のＶ字形の頂部（２２１）は対向する２つの箱端壁（１２３、１２３）の間の距離の２等分線（２）の近辺に位置されることを特徴とする請求項１のラップフィルム装置。
【請求項３】
前記フラップ（５０）は、前記フラップ連結部（５５）の復元力により前記回転角Ｘだけ回転されることを特徴とする請求項２のラップフィルム装置。
【請求項４】
前記粘着剤層（１４）は、箱前壁（１２１）の外面又は前記フラップ（５０）の外面上に配置されることを特徴とする請求項１のいずれかのラップフィルム装置。
【請求項５】
請求項１乃至４のいずれかのラップフィルム装置であって、更に切断刃の刃先を覆うと共に箱前壁（１２１）に剥離可能に固着される封止壁（２３）を含み、封止壁（２３）は、蓋前壁（２４）の延長部により形成されると共に蓋前壁に対し破断容易なつなぎ部（２４１）により接続され、且つ箱前壁に対し複数の接着部（１３２、１３４）により接着され、封止壁（２３）が箱前壁から剥離されたとき切断刃の刃先（２２３）が露出されることを特徴とする請求項１乃至４のいずれかのラップフィルム装置。
【発明の詳細な説明】
【発明の属する技術分野】
【０００１】
本発明は、食品その他の包装に使用されるラップフィルムのロールを容器内に収容し、容器外へラップフィルムを容易に引出し可能としたラップフィルム装置に関する。より詳しくは、本発明は、容器から引き出されたラップフィルムに切断刃が触れラップフィルムを損傷する「刃当たり」と呼ぶ現象をなくすると共に、ラップフィルム及びその端縁（切断縁部）をフラップにより容器壁面から離間させ、ラップフィルムの端縁を指で摘むことができラップフィルムを容器外へ引き出すことが可能なラップフィルム装置に関する。
【従来の技術】
【０００２】
従来、食品その他の包装のためのラップフィルムのロールを容器内に収容しラップフィルムの使用時に所定量のラップフィルムを容器外へ人手により引出し、容器に設けた切断刃により切断し使用可能とするラップフィルム装置が知られている。特許文献１は、ロール状ラップフィルムを収納する容器本体１１、及び容器本体の後面部の頂縁に回動可能に連接された容器蓋部１２を備える包装用フィルム容器を開示する。特許文献１の包装用フィルム容器は、容器の前面壁部に突出片１５及び剥離可能な接着剤（ストッパーニス）１９を備える。
【特許文献１】特開２００５−１７８９０１号公報。
【発明の開示】
【発明が解決しようとする課題】
【０００３】
従来のラップフィルム装置においては、ラップフィルムのロールを容器内に収容しラップフィルムの使用時にラップフィルムを所定の長さだけ容器外へ人手により引出し、容器に設けた切断刃により切断し使用する。従来のラップフィルム装置においては、ロールを容器外へ引き出した後、切断刃を切断位置、通常、蓋体が開口部を閉じ刃先が最も下降した位置、へ移動するとき、切断刃の刃先が容器から引き出されたラップフィルムを押圧し、引き出されたラップフィルムが切断され損傷する、いわゆる「刃当たり」の問題を有した。この「刃当たり」は、ラップフィルムを損傷させるだけでなく、ラップフィルムの端縁がロール上へ巻き戻り、次回の使用に際してラップフィルムの端縁を引き出すことが困難になる不具合があった。
【０００４】
また、従来のラップフィルム装置においては、切断されたラップフィルムの端縁が容器外壁に全面的に付着すると、その後のラップフィルムの使用に際して、ラップフィルムの端縁を人手により摘むことが困難であるため、ラップフィルムの端縁の一部を容器外壁から離間させるためのフラップを備えていた。このフラップは、箱前壁の一部分を突出させ、それによりラップフィルムの端縁の一部分を箱前壁から離間させるものである。しかしながら、ラップフィルムの端縁を箱前壁から突出させると、切断刃をラップフィルムの切断位置へ回動させるとき、移動中の刃先が突出されたラップフィルム部分へ当接し、前述の刃当たりが生じる問題があった。本発明の目的は、このような刃当たりが生じることを防ぐことにある。本発明のその他の目的及び利点は、特許請求の範囲、添付の図面、及び以下の説明において明らかにされる。
【課題を解決するための手段】
【０００５】
本発明のラップフィルム装置は、ラップフィルムのロールを容器内に収容し、容器外へラップフィルムが引出されることを可能とする。容器は、箱本体及び蓋体を含む。箱本体は、箱前壁、後壁、底壁及び対向する２つの箱端壁、並びに箱前壁上辺、後壁上辺及び対向する２つの箱端壁上辺に囲まれた開口を有し、更に箱前壁上辺に連結され箱本体内部をほぼ箱前壁に沿って下方へ伸長する副前壁、引出されたラップフィルムがロール上へ戻るのを防止する粘着剤層、並びに引出されたラップフィルムの端縁を箱前壁から離間させるフラップを有する。蓋体は、上壁、蓋前壁、及び蓋前壁に固着された切断刃を有し、上壁は後壁上辺に連結され、切断刃は蓋体が開口を閉じたとき箱前壁の下方外面に隣接して配置されると共に下方へ突出する頂部を有するＶ字形の刃先を有する。箱前壁及び副前壁は、一枚の厚紙からなり、箱前壁上辺は前記厚紙の折曲げ部であり、フラップ連結部は折曲げ部の一部であり、フラップは、折曲げ部の復元力により箱前壁に対して回転される。本発明において、『前』は、概略、箱本体に収容されたロールを基準にして切断刃に近い側を指し、『後』は、その反対側を指す。また『上』は、概略、箱本体に収容されたロールを基準にして開口に近い側を指す。
【０００６】
本発明のラップフィルム装置においては、上壁（２１）の幅即ち後壁上辺（１６）と蓋前壁上辺（２４２）との間の寸法をＡ、上壁（２１）の水平方向からの回転角をＲ、蓋前壁上辺（２４２）から刃先（２２３）までの寸法をＳ、開口（１５）の幅、即ち後壁上辺（１６）と折曲げ部（５５）との間の寸法をＢ、フラップ連結部（５５）とフラップ下縁（５１）との間のフラップ寸法をＨ、フラップ（５０）の垂直方向からの回転角をＸ、とすると、回転角Ｒ、Ｘが、各々、次の式（１）及び（２）の範囲のある値を取るときに、
０＜Ｒ＜４５°・・・（１）
０＜Ｘ＜４５°・・・（２）
フラップ下縁の全域において、次の式（３）及び式（４）が満足される。
Ｓ×ｃｏｓＲ＝Ａ×ｓｉｎＲ＋Ｈ×ｃｏｓＸ・・・（３）
Ｈ×ｓｉｎＸ≦（Ａ×ｃｏｓＲ＋Ｓ×ｓｉｎＲ）−Ｂ・・・（４）
このように寸法Ａ、Ｂ、Ｓ、Ｈを設定することにより、前述の「刃当たり」を防止することができる。式（４）は、下記式（４ａ）及び式（４ｂ）を含む。
Ｈ×ｓｉｎＸ＜（Ａ×ｃｏｓＲ＋Ｓ×ｓｉｎＲ）−Ｂ・・・（４ａ）
Ｈ×ｓｉｎＸ＝（Ａ×ｃｏｓＲ＋Ｓ×ｓｉｎＲ）−Ｂ・・・（４ｂ）
式（４ａ）の場合は、切断刃の刃先２２３は、フラップ下縁に接触せず、フラップ下縁上のラップフィルムを切断しない。式（４ｂ）の場合は、切断刃の刃先２２３がフラップ下縁に接触するが、ラップフィルムを押圧しないので、柔軟なラップフィルムは、小さく変形するだけで、切断されない。
【０００７】
本発明のラップフィルム装置は、次の構成を備えることができる。（１）箱前壁及び副前壁は、一枚の厚紙を折曲げ部において折曲げて形成され、箱前壁上辺が折曲げ部で形成され、前記フラップ連結部は前記折曲げ部の一部分である。（２）切断刃は頂部を有するＶ字形を有する。（３）切断刃のＶ字形の頂部は対向する２つの箱端壁の間の距離の２等分線の近辺に位置される。（４）前記フラップを箱前壁から回転させる力は、フラップ連結部の折曲げ部の復元力により生じる。（５）前記粘着剤層は、箱前壁の外面又はフラップの外面上に配置される。（６）切断刃の刃先を覆うと共に箱前壁に剥離可能に固着される封止壁を含む。（７）封止壁は、蓋前壁の延長部により形成されると共に蓋前壁に対し破断容易なつなぎ部により接続される。破断容易なつなぎ部は、例えば、ミシン目である。（８）封止壁が箱前壁から剥離されたとき切断刃の刃先が露出されるようにつなぎ部がＶ字形を有する。（９）封止壁は、箱前壁に対し複数の接着部により接着され、切断刃のＶ字形の頂部に近い位置にある接着部の面積が頂部から遠い位置にある接着部の面積より小さくすることができる。
【発明の実施の形態】
【０００８】
図面を参照し本発明の実施の形態を説明する。添付図面において、同様の部材又は個所には同じ符号を付し説明を簡略にする。図１は、本発明の１実施例のラップフィルム装置の使用開始前の概略斜視図であり、図２Ａは、図１のラップフィルム装置の封止壁２３を取り外した状態のラップフィルム装置の概略斜視図、図２Ｂは、箱前壁１２１から取り外された封止壁２３の立面図である。図３は、図２Ａのラップフィルム装置の蓋体が開放位置にある状態を示す概略斜視図である。図２Ａは、箱前壁１２１上に封止壁２３を接着する円形接着部１３２、１３４を示すが、図３の前壁１２１においては、円形接着部１３２、１３４が省略されている。
【０００９】
図４は、図３のラップフィルム装置の容器１０からラップフィルムを使用者が人手６１、６２により引き出す状態を示す概略斜視断面図であり、図５は、図２Ａのラップフィルム装置の箱前壁１２１、副前壁１２５等を分解し展開して示す概略斜視図である。図１乃至図５に示すように、ラップフィルム装置１は、ラップフィルム３６のロール３０を容器１０内に収容し、容器外へラップフィルム３６を引出し可能とする構造を有する。容器１０は、箱本体１２及び蓋体２０を含む。図４は、容器１０を左手６１で持ち右手６２でラップフィルムを摘んで引出す状態を示す。フラップ５０は対向する２つの箱端壁１２３間の距離の２等分線上又はそれを外れた位置に配置される。
【００１０】
箱本体１２は、箱前壁１２１、後壁１２２、底壁１２４及び対向する２つの箱端壁１２３、並びに箱前壁上辺１７、後壁上辺１６及び対向する２つの箱端壁上辺に囲まれた開口１５を有する。更に箱本体１２は、箱前壁上辺１７に連結され箱本体内部をほぼ箱前壁１２１に沿って下方へ伸長する副前壁１２５、引出されたラップフィルム３６がロール３０上へ戻るのを防止する粘着剤層１４（図３）、並びにラップフィルム及びその端縁３６１を箱前壁１２１から離間させるフラップ５０を備える。図５に示すように、蓋体２０は、対応する２つの蓋端壁２５を備える。また箱前壁１２１は、箱本体の組立時に箱端壁１２３に固着される固着部１３６を備える。
【００１１】
蓋体２０は、上壁２１、蓋前壁２４、及び蓋前壁に固着された切断刃２２を有する。上壁２１は、後壁上辺１６に連結される。切断刃２２は、蓋体２０が箱本体の開口１５を閉じたとき箱前壁１２１の下方外面に隣接して配置されると共に下方へ突出する頂部２２１を有するＶ字形の刃先２２３を有する。切断刃のＶ字形の頂部２２１は、対向する２つの箱端壁１２３、１２３の間の距離の２等分線２（図１）の近辺に位置される。
【００１２】
図４は、容器１０を左手６１で持ち右手６２でラップフィルム３６を摘んで引出す状態を示す。フラップ５０は対向する２つの箱端壁１２３間の距離の２等分線から離間した位置に配置されるが、フラップ５０が対向する２つの箱端壁１２３間の距離の２等分線を含む位置に配置することもできる。
【００１３】
図６は、本発明のラップフィルム装置のフラップ５０を示す概略斜視図である。ラップフィルム及びその端縁を箱前壁１２１から離間させるため、フラップ５０は、図５及び図６に示すように箱前壁１２１の一部分を副前壁１２５とのフラップ連結部５５を残して切り起して形成される。フラップ５０の下縁５１は、フラップ連結部５５によって生じる弾性力により箱前壁１２１から離間される。フラップ連結部５５を長くすることにより、前記弾性力を大きくすることができる。図６に最も良く示されるように、フラップ５０の両側に隣接して半円形部分５７、５７が箱前壁から切除されている。半円形部分５７、５７は、フラップ５０の存在を目立たせる、フラップ５０を指で摘み隆起させるのに好都合である、ラップフィルム端縁３６を指で摘むときに好都合である等の利点を提供する。
【００１４】
フラップ５０の形状は、下縁５１が直線状または曲線状であってもよい。具体的には、フラップ５０の形は、矩形（正方形、長方形）又はフラップ連結部５５と下縁５１を上底もしくは下底とした台形であってもよい。さらに、下縁が曲線状である場合は、下縁５１の中央部が凹形５２となっていてもよい。凹形とすることにより、凹形５２の上に載ったラップフィルムがフラップ面からわずかに落ち込むことで、切断刃の「刃当たり」が低減される効果を生むことに加えて、フィルムをつまむ際に、凹形となっていることで、フィルムがつまみやすくなる効果を有する。引出されたラップフィルム３６がロール３０上へ戻るのを防止する粘着剤層１４（図３）は、位置を変更して、又は追加的に、フラップ５０の外面上に配置され得る。フラップ５０の外面は、その下辺が箱前壁１２１外面から離間され、ラップフィルム３６の端縁に接触し易い位置にある故に、フラップ５０の外面上の粘着剤層は、引出されたラップフィルム３６の端縁をより確実に粘着し保持する。
【００１５】
図１、図２Ａ及び図２Ｂに示すように、ラップフィルム装置１は、切断刃２２の刃先を覆うと共に箱前壁１２１に剥離可能に固着される封止壁２３を含む。封止壁２３は、蓋前壁２４の延長部により形成され、蓋前壁２４に対し破断容易なつなぎ部２４１により接続される。つなぎ部２４１は、封止壁２３が箱前壁１２１から剥離されたとき切断刃２２の刃先２２３が露出されるように刃先２２３から所定寸法離間したＶ字形をなす。また、図２Ａ及び図２Ｂに示すように、封止壁２３は、箱前壁１２１に対し複数の接着部１３２，１３４により接着される。複数の接着部は、それぞれ円形を有し、隣接する円形の中心間の距離は等しくされ、更に、切断刃２２のＶ字形の頂部２２１に近い位置にある接着部１３４の面積が頂部２２１から遠い位置にある接着部１３２の面積より小さくすることができる。
【００１６】
図７は、フラップ５０を含み箱端壁１２３に平行な平面に沿うラップフィルム装置の概略断面図であり、蓋体２０が幾分開放位置へ移動された状態を示す。図７に示されるように、切断刃２２の刃先２２３は、蓋体２０が箱本体１２の開口１５を開放する方向へ後壁上辺１６のまわりに角度Ｒ回転されると、蓋前壁２４の上辺２４２からの垂直方向寸法Ｓが大きいほど、引き出されたラップフィルム３６から大きな距離だけ離間する。寸法Ｓは、大きくすることにより、切断刃２２の刃先２２３が引き出されたラップフィルム３６を押圧し切断する「刃当たり」を減少させる傾向がある。
【００１７】
しかしながら、「刃当たり」を減少させるため、寸法Ｓを大きくすると、図２Ｂに示す封止壁２３の線２付近の垂直寸法Ｔが小さくなる。封止壁２３は、刃先２２３を隠すと共に、破れることなく箱前壁１２１表面から剥がれることが必要であり、またラップフィルム装置の使用前は、確実に箱前壁１２１表面に接着され、切断刃の刃先２２３を覆っていることを要求される。それ故、封止壁２３の線２付近の垂直寸法Ｔは、一定値以上、例えば１０ｍｍ以上必要である。本発明においては、図２に示すように、切断刃２２のＶ字形の頂部２２１に近い位置にある接着部１３４、１３４の面積が頂部２２１から遠い位置にある接着部１３２の面積より小さくすることができる。
【００１８】
図７において、切断刃２２の刃先２２３がフラップ下縁５１と上下方向の位置が一致したときに、刃先２２３が、フラップ下縁５１の幅全域においてフラップ５０を押圧しないことが「刃当たり」を起こさない条件となる。また本発明のラップフィルム装置においては、上壁２１の幅、即ち後壁上辺１６と蓋前壁上辺２４２との間の寸法をＡ、上壁２１の水平方向からの回転角をＲ、蓋前壁上辺２４２から刃先２２３までの寸法をＳ、開口１５の幅、即ち後壁上辺１６とフラップ連結部５５との間の寸法をＢ、フラップ連結部５５とフラップ下縁５１との間のフラップ寸法をＨ、フラップ５０の垂直方向からの回転角をＸ、とすると、回転角Ｒ、Ｘが、各々、０〜４５°のある値を取るとき、即ち、  ０＜Ｒ＜４５°・・・（１）、０＜Ｘ＜４５°・・・（２）であるとき、フラップ下縁の全域において、
Ｓ×ｃｏｓＲ＝Ａ×ｓｉｎＲ＋Ｈ×ｃｏｓＸ・・・（３）
Ｈ×ｓｉｎＸ≦（Ａ×ｃｏｓＲ＋Ｓ×ｓｉｎＲ）−Ｂ・・・（４）が満足されように、寸法Ａ、Ｓ、Ｂ、Ｈが選択される。
一例として、Ｘ＝４°のとき切断刃のＶ字形の頂部２２１がフラップ下縁の最大寸法部分と接する角度は、Ａ＝４３ｍｍ、Ｂ＝４３ｍｍ、Ｓ＝２７ｍｍ、Ｈ＝２０ｍｍのときＲ＝９°となる。そのとき、計算式から、Ｈ×ｓｉｎＸ＝３．１０ｍｍ、（Ａ×ｃｏｓＲ＋Ｓ×ｓｉｎＲ）−Ｂ＝３．７０ｍｍとなり、上式の関係を満足することがわかる。これによりラップフィルム装置の前述の「刃当たり」を防止することができる。
【００１９】
上記の式（４）は、Ｈ×ｓｉｎＸ＝（Ａ×ｃｏｓＲ＋Ｓ×ｓｉｎＲ）−Ｂ・・・（４ｂ）の場合を含むが、この場合、切断刃の刃先２２３がフラップ下縁に接触するだけで、ラップフィルムを押圧しないので、柔軟なラップフィルムは、切断（損傷）されない。即ち、実質的に「刃当たり」を起こすことはない。本発明のラップフィルム装置において、引出されたラップフィルムがロール上へ戻るのを防止する粘着剤層は、フラップの外面上に配置され得る。フラップの外面は、その下辺が箱前壁の外面から離間され、ラップフィルム及びその切断縁に接触し易い位置にある故に、フラップの外面上の粘着剤層は、引出されたラップフィルムの切断縁をより確実に粘着し保持する効果を奏する。
【００２０】
本発明のラップフィルム装置において、封止壁は、蓋前壁の延長部により形成されると共に蓋前壁に対し破断容易なつなぎ部により接続され、封止壁が箱前壁から剥離されたとき切断刃の刃先が露出される。つなぎ部は、切断刃の刃先から所定寸法離間したＶ字形を有し、且つ箱前壁に対し複数の接着部により接着され、切断刃のＶ字形の頂部に近い位置にある接着部の面積が頂部から遠い位置にある接着部の面積より小さい。それ故、封止壁は、刃先を隠すと共に、破れることなく箱前壁表面から剥がされることが可能であり、またラップフィルム装置の使用前は、確実に箱前壁表面に接着され、切断刃の刃先を覆うことができる利点を有する。
【図面の簡単な説明】
【００２１】
【図１】本発明の１つの実施例のラップフィルム装置の使用開始前の概略斜視図。
【図２】図２Ａは図１のラップフィルム装置の封止壁２３を除去した状態のラップフィルム装置、図２Ｂは封止壁２３の立面図である。を示す概略斜視図。
【図３】図２Ａのラップフィルム装置の蓋体が開放位置にある状態を示す概略斜視図。
【図４】図３のラップフィルム装置からラップフィルムを人手により引き出す状態を示す概略斜視断面図。
【図５】図２Ａのラップフィルム装置の箱前壁及び副前壁を展開して示す概略斜視図。
【図６】フラップの概略斜視図。
【図７】フラップを含み箱端壁に平行な平面に沿うラップフィルム装置の概略断面図である。
【符号の説明】
【００２２】
１：ラップフィルム装置、２：２等分線、１０：容器、１２：箱本体、１４：粘着剤層、１５：開口、１６：後壁上辺、１７：箱前壁上辺（連結部）、２０：蓋体、２１：上壁、２２：切断刃、２３：封止壁、２４：蓋前壁、２５：蓋端壁、３０：ロール、３６：ラップフィルム、５０：フラップ、５１：フラップ下縁、５５：フラップ連結部、５７：半円形部分、６１：左手、６２：右手、１２１：箱前壁、１２２：後壁、１２３：箱端壁、１２４：底壁、１２５：副前壁、１３２、１３４：接着部、１３６：固着部、２２１：頂部、２２３：刃先、２４１：つなぎ部、２４２：蓋前壁上辺、３６１：ラップフィルム端縁、Ｈ：フラップ連結部５５とフラップ下縁５１との間のフラップ寸法。
【図１】
2008239251.tif 000003
【図２】
2008239251.tif 000004
【図３】
2008239251.tif 000005
【図４】
2008239251.tif 000006
【図５】
2008239251.tif 000007
【図６】
2008239251.tif 000008
【図７】
2008239251.tif 000009